(57)【要約】【課題】室内の在室状況に対応した換気運転を自動で行うことができる換気装置を得ること。【解決手段】換気装置１は、換気対象空間の換気を行う換気部１１と、利用者に１つずつ装着されたウェアラブル端末２と自動で無線通信を行う換気通信部１２と、換気対象空間において換気通信部１２との無線通信が接続されているウェアラブル端末２の数量に基づいて換気部１１の動作を制御する換気制御部１４と、を備える。換気装置１は、室内の在室状況に対応した換気運転を自動で行うことができる。【選択図】図２
2020200998.tif 000002
【特許請求の範囲】
【請求項１】
換気対象空間の換気を行う換気部と、
利用者に１つずつ装着されたウェアラブル端末と自動で無線通信を行う換気通信部と、
前記換気対象空間において前記換気通信部との無線通信が接続されている前記ウェアラブル端末の数量に基づいて前記換気部の動作を制御する換気制御部と、
を備えることを特徴とする換気装置。
【請求項２】
前記換気制御部は、前記換気部における運転開始、運転停止、および換気風量の変更を制御すること、
を特徴とする請求項１に記載の換気装置。
【請求項３】
前記換気制御部は、前記換気対象空間において前記換気通信部との無線通信が接続されている前記ウェアラブル端末の数量と、予め決められた端末数量閾値と、に基づいて前記換気部の換気風量を変更すること、
を特徴とする請求項２に記載の換気装置。
【請求項４】
前記換気制御部は、前記換気対象空間において前記換気通信部との無線通信が接続されている複数の前記ウェアラブル端末から取得した前記利用者の前記換気対象空間の好みの温度のデータである好み温度データの平均値を算出し、前記換気装置と通信可能に接続された空気調和機に前記好み温度データの平均値の情報を設定温度の指示情報として送信すること、
を特徴とする請求項１から３のいずれか１つに記載の換気装置。
【請求項５】
前記換気制御部は、現在の季節が夏季であると判定した場合に、複数の前記ウェアラブル端末から取得した複数の前記好み温度データの最小値を、前記空気調和機に設定温度の指示情報として送信すること、
を特徴とする請求項４に記載の換気装置。
【請求項６】
前記換気制御部は、現在の季節が冬季であると判定した場合に、複数の前記ウェアラブル端末から取得した複数の前記好み温度データの最大値を、前記空気調和機に設定温度の指示情報として送信すること、
を特徴とする請求項４または５に記載の換気装置。
【請求項７】
前記換気制御部は、前記換気対象空間において前記換気通信部との無線通信が接続されている複数の前記ウェアラブル端末から取得した前記利用者の前記換気対象空間の好みの湿度のデータである好み湿度データの平均値を算出し、前記換気装置と通信可能に接続された加湿器および除湿器に前記好み湿度データの平均値の情報を設定湿度の指示情報として送信すること、
を特徴とする請求項１から３のいずれか１つに記載の換気装置。
【請求項８】
前記換気制御部は、現在の季節が夏季であると判定した場合に、複数の前記ウェアラブル端末から取得した複数の前記好み湿度データの最小値を、前記加湿器および前記除湿器に設定湿度の指示情報として送信すること、
を特徴とする請求項７に記載の換気装置。
【請求項９】
前記換気制御部は、現在の季節が冬季であると判定した場合に、複数の前記ウェアラブル端末から取得した複数の前記好み湿度データの最大値を、前記加湿器および前記除湿器に設定湿度の指示情報として送信すること、
を特徴とする請求項７または８に記載の換気装置。
【請求項１０】
前記換気制御部は、前記換気対象空間において前記換気通信部との無線通信が接続されている前記ウェアラブル端末から取得した前記利用者の生体データを用いて前記換気部の換気風量が不足しているか否かを判定した結果に基づいて、前記換気部の換気風量を制御すること、
を特徴とする請求項１から９のいずれか１つに記載の換気装置。
【請求項１１】
請求項１から１０のいずれか１つに記載の換気装置と、
利用者に装着されて前記換気対象空間において前記換気通信部と自動で無線通信を行うウェアラブル端末と、
を備えることを特徴とする換気システム。
【請求項１２】
請求項４から６のいずれか１つに記載の換気装置と、
利用者に装着されて前記換気対象空間において前記換気通信部と自動で無線通信を行うウェアラブル端末と、
前記換気装置と通信可能であり、前記換気制御部から送信される設定温度の指示情報に基づいて動作を制御する空気調和機と、
を備えることを特徴とする換気システム。
【請求項１３】
請求項７から９のいずれか１つに記載の換気装置と、
利用者に装着されて前記換気対象空間において前記換気通信部と自動で無線通信を行うウェアラブル端末と、
前記換気装置と通信可能であり、前記換気制御部から送信される設定湿度の指示情報に基づいて動作を制御する加湿器および除湿器と、
を備えることを特徴とする換気システム。
【発明の詳細な説明】
【技術分野】
【０００１】
本発明は、無線通信機能を有する換気装置および換気システムに関する。
【背景技術】
【０００２】
換気装置には通常、運転のオン、オフおよび風量の調整を行うためのリモートコントローラーまたはスイッチが必要である。しかしながら、事務所、学校および病院などに据え付けられる業務用の換気装置の場合は、ユーザーがリモートコントローラーなどを用いて運転操作を行うことは稀である。そして、室内の換気が必要である状況であるにもかかわらず換気装置の換気運転が行われていない、室内の換気が不要な状況であるにもかかわらず換気装置の換気運転が行われている、多くの換気風量が必要である状況であるにもかかわらず少ない換気風量での換気装置の換気運転が行われている、多くの換気風量が必要でない状況であるにもかかわらず多い換気風量での換気装置の換気運転が行われている、といったように室内の状態に沿わない換気装置の運転状況が発生しやすい。
【０００３】
この結果、室内の二酸化炭素（ＣＯ２）の濃度が高くなって利用者に悪影響を与える、換気装置の換気風量が必要以上に多いために室内を空気調和している空気調和機の負荷を増大させることになり省エネに反する、といったことが起こりやすい。
【０００４】
一方、室内のＣＯ２濃度をセンシングして、濃度に対応して風量を自動で切り替えるような機器の自動運転が一般的に行われている。特許文献１には、居室床面から８０ｃｍ以下の高さ位置での二酸化炭素濃度を二酸化炭素濃度センサにより測定し、測定値が基準濃度を超えたとき、二酸化炭素濃度が設定値に低下するまで居室を換気する空気浄化装置が開示されている。
【先行技術文献】
【特許文献】
【０００５】
【特許文献１】特開平９−８９３１７号公報
【発明の概要】
【発明が解決しようとする課題】
【０００６】
しかしながら、上記特許文献１の空気浄化装置によれば、二酸化炭素濃度センサの測定値に基づいて換気が制御される。このため、居室に在室している人のうち、二酸化炭素濃度センサの近くにだけ多くの人が居る場合、また二酸化炭素濃度センサの近くにだけ少ない人数の人が居る場合には、室内を快適にするために本来必要な換気運転とは異なる換気運転が行われることがある。すなわち、室内の在室状況に対して適切な換気が行われない場合がある。
【０００７】
本発明は、上記に鑑みてなされたものであって、室内の在室状況に対応した換気運転を自動で行うことができる換気装置を得ることを目的とする。
【課題を解決するための手段】
【０００８】
上述した課題を解決し、目的を達成するために、本発明にかかる換気装置は、換気対象空間の換気を行う換気部と、利用者に１つずつ装着されたウェアラブル端末と自動で無線通信を行う換気通信部と、換気対象空間において換気通信部との無線通信が接続されているウェアラブル端末の数量に基づいて換気部の動作を制御する換気制御部と、を備える。
【発明の効果】
【０００９】
本発明によれば、室内の在室状況に対応した換気運転を自動で行うことができる、という効果を奏する。
【図面の簡単な説明】
【００１０】
【図１】本発明の実施の形態１にかかる換気システムの全体構成を示す図
【図２】図１に示す換気システムの機能構成を示す図
【図３】本発明の実施の形態１にかかる処理回路のハードウェア構成の一例を示す図
【図４】図１に示す換気システムにおける換気装置の動作の手順を示すフローチャート
【図５】本発明の実施の形態１にかかる他の換気システムの全体構成を示す図
【図６】本発明の実施の形態２にかかる換気システムの全体構成を示す図
【図７】図６に示す換気システムの機能構成を示す図
【図８】図６に示す換気システムのウェアラブル端末の端末記憶部に記憶される、好み温度データと、好み湿度データとを示す図
【図９】図６に示す換気システムにおける換気装置の動作の手順を示すフローチャート
【図１０】本発明の実施の形態３における換気システムの換気装置の動作の手順を示すフローチャート
【図１１】本発明の実施の形態４における換気システムの換気装置の動作の手順を示すフローチャート
【図１２】本発明の実施の形態４にかかる他の換気システムの全体構成を示す図
【図１３】本発明の実施の形態５にかかるウェアラブル端末の機能構成を示す図
【発明を実施するための形態】
【００１１】
以下に、本発明の実施の形態にかかる換気装置および換気システムを図面に基づいて詳細に説明する。なお、この実施の形態によりこの発明が限定されるものではない。
【００１２】
実施の形態１．
図１は、本発明の実施の形態１にかかる換気システム１００の全体構成を示す図である。換気システム１００は、換気装置１と、ウェアラブル端末２と、を備えて構成されている。換気システム１００は、ウェアラブル端末２と換気装置１とを連携させて、室内の在室状況に対応して換気装置１の動作を制御することが可能である。以下の説明では、一般的な事務所ビルの室内を換気システム１００が換気する場合を例に、換気システム１００について説明する。図２は、図１に示す換気システム１００の機能構成を示す図である。
【００１３】
換気装置１は、換気対象空間である室内の換気を行う換気設備であり、換気部１１と、換気通信部１２と、換気記憶部１３と、換気制御部１４と、を備える。換気部１１は、室内の換気を行う。換気通信部１２は、ウェアラブル端末２およびその他の機器と無線通信を行う。換気記憶部１３は、換気装置１の運転に用いられる各種の情報を記憶する。換気制御部１４は、換気装置１の運転を制御する。換気制御部１４は、換気対象空間において換気通信部１２との無線通信が接続されているウェアラブル端末２の数量に基づいて換気部１１の動作を制御する。換気部１１と換気通信部１２と換気記憶部１３と換気制御部１４とは、互いに情報の送受信が可能である。
【００１４】
また、換気制御部１４は、例えば、図３に示したハードウェア構成の処理回路として実現される。図３は、本発明の実施の形態１にかかる処理回路のハードウェア構成の一例を示す図である。換気制御部１４が図３に示す処理回路により実現される場合、換気制御部１４は、例えば、図３に示すメモリ１０２に記憶されたプログラムをプロセッサ１０１が実行することにより、実現される。また、複数のプロセッサおよび複数のメモリが連携して上記機能を実現してもよい。また、換気制御部１４の機能のうちの一部を電子回路として実装し、他の部分をプロセッサ１０１およびメモリ１０２を用いて実現するようにしてもよい。
【００１５】
また、同様にメモリ１０２に記憶されたプログラムをプロセッサ１０１が実行することにより、換気通信部１２が実現されるように構成してもよい。また、換気通信部１２を実現するためのプロセッサおよびメモリは、換気制御部１４を実現するプロセッサおよびメモリと同一であってもよいし、別のプロセッサおよびメモリであってもよい。
【００１６】
ウェアラブル端末２は、事務所の利用者である各従業員に１つずつ装着される端末であり、換気制御部１４と無線通信可能である。ウェアラブル端末２は、時計型、社員証型、名札型およびペン型など各種の形態のものが使用可能であり、事務所、学校および病院などの利用者が身に付けることが想定されるものが好ましい。また、ウェアラブル端末２は、表示部および操作部といった構成部を有するものであってもよく、また表示部および操作部といった構成部を有さないものであってもよく、使用される環境に合わせて機能と価格とが異なる各種の形態のものを構成可能である。したがって、換気制御部１４は、各種の形態のウェアラブル端末２と、通信できることが好ましい。
【００１７】
ウェアラブル端末２は、端末表示部２１と、端末通信部２２と、端末記憶部２３と、端末制御部２４と、を備える。端末表示部２１は、ウェアラブル端末２内の各種情報を表示する。端末表示部２１は、居室の温度、居室の湿度、ＣＯ２濃度、省エネルギー量、居室の快適度、居室の不快度などの情報を表示できる。端末通信部２２は、換気制御部１４と無線通信を行う。端末記憶部２３は、ウェアラブル端末２内の各種情報を記憶する。端末記憶部２３は、従業員の年齢、性別、好みの室内温度のデータ、好みの室内湿度のデータなどを記憶する。端末制御部２４は、ウェアラブル端末２内の各構成部の制御を含む、ウェアラブル端末２全体の制御を行う。端末表示部２１と端末通信部２２と端末記憶部２３と端末制御部２４とは、互いに情報の送受信が可能である。
【００１８】
なお、換気装置１とウェアラブル端末２との間の無線通信方式は、Ｂｌｕｅｔｏｏｔｈ（登録商標）、赤外線方式などが例示されるが、これらに限定されるものではない。
【００１９】
つぎに、換気システム１００において、換気装置１が、居室において換気通信部１２との無線通信が接続されているウェアラブル端末２の数量に基づいて換気部１１の動作を制御する場合について説明する。図４は、図１に示す換気システム１００における換気装置１の動作の手順を示すフローチャートである。以下では、換気装置１が配置された無人の状態の事務所の居室に利用者である従業員が出社してくる場合について説明する。無人の状態においては、換気装置１は、換気運転を停止している。換気装置１は、相対的に風量が少ない第１換気風量と、相対的に風量が多い第２換気風量と、の２つの風量で換気運転が可能である。
【００２０】
ステップＳ１０において、換気装置１の換気制御部１４は、事務所の居室に在室者が居るか否かを判定する。ウェアラブル端末２を装着した従業員の出勤時に、換気装置１の換気通信部１２が、ウェアラブル端末２の端末通信部２２と自動で無線通信を確立する。すなわち、ウェアラブル端末２を装着した従業員が、無人の状態の事務所の居室に出社する。従業員が居室に入室すると、換気装置１の換気通信部１２が、ウェアラブル端末２の端末通信部２２と無線通信を確立する。ウェアラブル端末２の端末通信部２２と換気装置１の換気通信部１２との無線通信を確立する方法は特に限定されず、公知の技術により実現される。
【００２１】
ウェアラブル端末２の端末通信部２２は、換気通信部１２との無線通信が確立されると、各ウェアラブル端末２に固有の識別情報を換気通信部１２に送信する。換気通信部１２は、ウェアラブル端末２から送信された固有の識別情報を受信して換気装置１の換気制御部１４に送信する。換気制御部１４は、固有の識別情報を受信することにより、換気通信部１２と無線通信が確立された各ウェアラブル端末２を認識し、各ウェアラブル端末２に対応した従業員が入室したと判定する。各ウェアラブル端末２の端末通信部２２は、居室に入室するたびに、換気装置１の換気通信部１２との無線通信を確立して固有の識別情報を換気通信部１２に送信する。
【００２２】
換気通信部１２は、ウェアラブル端末２の端末通信部２２との無線通信が確立されると、端末通信部２２との無線通信が確立された旨の通信確立情報を換気制御部１４に送信する。換気制御部１４は、固有の識別情報を受信したウェアラブル端末２についての通信確立情報を受信すると、ウェアラブル端末２との無線通信が接続されたと判定する。これにより、換気制御部１４は、居室におけるウェアラブル端末２の存在を認識し、従業員が在室していると認識できる。換気制御部１４は、固有の識別情報を受信したウェアラブル端末２についての通信切断情報を受信した場合は、居室におけるウェアラブル端末２との無線通信が切断されたと判定し、従業員が退室したと認識できる。
【００２３】
換気制御部１４は、居室におけるウェアラブル端末２との無線通信が接続されている間はウェアラブル端末２の固有の識別情報を記憶しており、ウェアラブル端末２との無線通信が切断されると、記憶しているウェアラブル端末２の固有の識別情報を消去する。これにより、換気制御部１４は、記憶している固有の識別情報の数量によって、居室において換気通信部１２との無線通信が接続されているウェアラブル端末２の数量を判定できる。したがって、換気制御部１４に記憶されている固有の識別情報の数量は、居室において換気通信部１２との無線通信が接続されているウェアラブル端末２の数量の情報である端末数量情報といえる。また、換気制御部１４に記憶されている固有の識別情報の数量は、居室に在室している従業員の人数と換言できる。
【００２４】
居室に在室者が居ると判定された場合には、ステップＳ１０においてＹｅｓとなり、ステップＳ２０に進む。居室に在室者が居ないと判定された場合には、ステップＳ１０においてＮｏとなり、ステップＳ１０に戻る。
【００２５】
つぎに、ステップＳ２０において、換気制御部１４は、相対的に風量が少ない第１換気風量で換気運転を実施する制御を行う。これにより、換気装置１は、無人の状態の居室に一人目の従業員が入室した場合には、第１換気風量での換気運転を自動で開始する。
【００２６】
つぎに、ステップＳ３０において、換気制御部１４は、居室の在室人数が第１人数閾値以上であるか否かを判定する。第１人数閾値は、換気制御部１４が、換気風量を第１換気風量と第２換気風量との間で切り替えるか否かを判定するための在室人数の閾値である。また、第１人数閾値は、換気制御部１４が、換気風量を第１換気風量と第２換気風量との間で切り替えるか否かを判定するための、居室においてウェアラブル端末２との無線通信が接続されているウェアラブル端末２の端末数量の閾値である端末数量閾値といえる。第１人数閾値は、予め決められて換気制御部１４に記憶されている。なお、第１人数閾値は、換気記憶部１３に記憶されてもよい。
【００２７】
換気装置１の換気通信部１２は、新たなウェアラブル端末２の端末通信部２２との無線通信を確立すると、新たなウェアラブル端末２の端末通信部２２との無線通信の確立についての通信確立情報を、新たなウェアラブル端末２の固有の識別情報とともに換気制御部１４に送信する。換気制御部１４は、新たな固有の識別情報および通信確立情報を受信することにより、新たなウェアラブル端末２との無線通信が接続されたと判定する。なお、換気制御部１４は、新たな固有の識別情報を受信するたびに、居室において換気通信部１２との無線通信が接続されているウェアラブル端末２の数量、すなわち居室に在室している従業員の人数をカウントアップして記憶してもよい。
【００２８】
居室の在室人数が第１人数閾値以上であると判定された場合には、ステップＳ３０においてＹｅｓとなり、ステップＳ４０に進む。居室の在室人数が第１人数閾値未満であると判定された場合には、ステップＳ３０においてＮｏとなり、ステップＳ２０に戻り、第１換気風量での換気運転が継続される。
【００２９】
ステップＳ４０において、換気制御部１４は、相対的に風量が多い第２換気風量で換気運転を行うように制御する。すなわち、換気制御部１４は、換気風量を第１換気風量から第２換気風量に増加させる制御を行う。これにより、居室の換気量が増加するため、居室の在室人数が多くなっても室内空気の環境を快適に保つことができる。
【００３０】
つぎに、ステップＳ５０において、換気制御部１４は、居室の在室人数が第１人数閾値以上であるか否かを判定する。居室の在室人数が第１人数閾値以上であると判定された場合には、ステップＳ５０においてＹｅｓとなり、ステップＳ４０に戻り、第２換気風量での換気運転が継続される。居室の在室人数が第１人数閾値未満であると判定された場合には、ステップＳ５０においてＮｏとなり、ステップＳ６０に進む。
【００３１】
ステップＳ６０において、換気制御部１４は、居室に在室者が居るか否かを判定する。従業員が居室から退室すると、換気装置１の換気通信部１２とウェアラブル端末２の端末通信部２２との無線通信が切断される。換気装置１の換気通信部１２は、ウェアラブル端末２の端末通信部２２との無線通信が切断されると、ウェアラブル端末２の端末通信部２２との無線通信が切断された旨の通信切断情報を、換気制御部１４に送信する。
【００３２】
換気制御部１４は、通信切断情報を受信することにより、ウェアラブル端末２との無線通信が切断されたと判定し、従業員が退室したと判定する。換気制御部１４は、通信確立情報を受信してから通信切断情報を受信するまでの間、居室においてウェアラブル端末２と換気装置１との無線通信が接続されていると判定する。換気制御部１４は、新たな通信切断情報を受信した場合に、通信切断情報を受信したウェアラブル端末２の固有の識別情報を消去する。換気制御部１４は、新たな通信切断情報を受信するたびに居室の在室人数をカウントダウンして換気記憶部１３に記憶させてもよい。
【００３３】
居室に在室者が居ると判定された場合には、ステップＳ６０においてＹｅｓとなり、ステップＳ２０に戻り、換気制御部１４は、第１換気風量での換気運転を実施する制御を行う。すなわち、換気制御部１４は、換気風量を第２換気風量から第１換気風量に減少させる制御を行う。これにより、居室の換気量が減少するため、居室の在室人数に対して過度の風量での換気が行われることがない。居室に在室者が居ないと判定された場合には、ステップＳ６０においてＮｏとなり、ステップＳ７０に進む。
【００３４】
ステップＳ７０において、換気制御部１４は、換気運転を停止する制御を行う。これにより、換気装置１は、居室に在室者が居なくなると自動で換気運転を停止する。
【００３５】
なお、居室において換気通信部１２との無線通信が接続されているウェアラブル端末２の数量を換気制御部１４が取得する方法は上述した方法に限定されない。また、換気通信部１２とウェアラブル端末２との無線通信の接続状態の確認は、換気通信部１２からウェアラブル端末２に接続確認要求を送信するなどの公知の方法により行うことができる。
【００３６】
また、上記においては、換気装置１の換気風量が２段階に変更可能である場合について説明したが、換気装置１の換気風量は３段階以上に変更可能とされてもよい。この場合には、上記と同様に換気風量の切り替えタイミングを判定するために人数閾値が追加される。
【００３７】
換気装置１の換気風量が、第１換気風量と、第２換気風量と、第２換気風量よりも相対的に風量が多い第３換気風量と、の３段階に変更可能である場合には、換気制御部１４は、居室の在室人数が第１人数閾値以上であるか否かによって、換気風量を第１換気風量と第２換気風量との間で切り替えるか否かを判定する。そして、換気制御部１４は、居室の在室人数が第１人数閾値以上であると判定された場合に、居室の在室人数が第２人数閾値以上であるか否かによって、換気風量を第２換気風量と第３換気風量との間で切り替えるか否かを判定する。換気制御部１４は、居室の在室人数が第２人数閾値以上であると判定された場合に、第２換気風量から第３換気風量に切り替える。第２人数閾値は、換気制御部１４が、換気風量を第２換気風量と第３換気風量との間で切り替えるか否かを判定するための在室人数の閾値であり、第１人数閾値よりも大きな値である。第２人数閾値は、予め決められて換気制御部１４に記憶される。
【００３８】
上述したように、換気システム１００の換気装置１は、居室の在室人数が徐々に増えてくると、在室人数に対応してあらかじめ決められた換気風量になるように換気風量を増加させて換気運転を行う。このような換気装置１の換気運転の例として、例えば居室の在室人数の１人に対して２５ｍ３／ｈずつ換気風量を増やすような運転が例示される。この場合、換気風量は、居室の在室人数が１人である場合には２５ｍ３／ｈとなり、居室の在室人数が２人である場合には５０ｍ３／ｈとなる。これにより、在室人数に対応してあらかじめ決められた、室内を快適にするために必要な適切な換気風量で居室の換気を自動で行うことができる。
【００３９】
そして、換気装置１は、会社の定時を過ぎて徐々に在室人数が減ってくると、換気風量を自動で低減させて換気運転を行い、最後の１人がいなくなると自動で換気運転を停止することができる。これにより、換気装置１は、居室の在室人数に対して過度の換気風量での換気を行うことがなく、在室人数に対して適切な換気風量で居室の換気を自動で行うことができ、居室に人が居ない場合には、換気運転を自動で停止することができる。したがって、換気装置１は、過度の換気風量での換気および不要な換気を行わないことによって、換気装置１の省エネルギーを実現することができる。
【００４０】
また、たとえば居室内におけるドア付近にウェアラブル端末２と無線通信できる他の通信機器を設けておき、ドアを通って居室内に入室する際に他の通信機器と通信したウェアラブル端末２を他の通信機器がカウントアップする構成を設けてもよい。他の通信機器は、ドアを通過するウェアラブル端末２とのみ通信できる。すなわち、ウェアラブル端末２は、ドアを通過するときのみ、他の通信機器と通信する。この場合、他の通信機器は、ドアを通過して居室に入室する新たな従業員のウェアラブル端末２と通信するたびに、他の通信機器と無線通信したウェアラブル端末２の数量、すなわち居室に入室した従業員の人数をカウントアップして記憶する。これにより、他の通信機器は、居室に在室している従業員の人数を確実に検知することができる。
【００４１】
他の通信機器は、カウントアップしたウェアラブル端末２の数量の情報、すなわち居室に入室した従業員の人数の情報を、換気制御部１４に送信する。換気制御部１４は、他の通信機器から受信した、カウントアップしたウェアラブル端末２の数量の情報と、換気制御部１４において判定された、居室において換気通信部１２との無線通信が接続されているウェアラブル端末２の数量の情報と、を比較する。
【００４２】
両者が同一である場合には、換気制御部１４は、換気制御部１４において判定された、居室において換気通信部１２との無線通信が接続されているウェアラブル端末２の数量を、居室に在室している従業員の人数と判定する。両者が異なる場合には、換気制御部１４は、他の通信機器から受信したカウントアップしたウェアラブル端末２の数量の情報に示される数量を、居室に在室している従業員の人数と判定する。
【００４３】
これにより、換気制御部１４は、居室内にいる従業員と、居室のドアの直ぐ外にいる従業員とを判別することができ、居室に在室している従業員の人数を正確に判定することができる。
【００４４】
また、他の通信機器は、居室から退室する従業員がドアを通過する際に退室する従業員のウェアラブル端末２と通信する。この場合、他の通信機器は、従業員が入室する際に通信したウェアラブル端末２と再び通信すると、他の通信機器と無線通信したウェアラブル端末２の数量、すなわち居室に入室した従業員の人数として記憶している人数をカウントダウンして記憶する。すなわち、他の通信機器は、居室に入室した従業員の人数から、居室から退室した従業員の人数を減らした人数を、居室に在室している人数として記憶する。これにより、他の通信機器は、居室に在室している従業員の人数を確実に検知することができる。
【００４５】
他の通信機器は、カウントダウンしたウェアラブル端末２の数量の情報、すなわち居室に入室した従業員の人数から、居室から退室した従業員の人数を減らした、居室に在室している人数の情報を、換気制御部１４に送信する。換気制御部１４は、他の通信機器から受信した、カウントダウンしたウェアラブル端末２の数量の情報と、換気制御部１４において判定された、居室において換気通信部１２との無線通信が接続されているウェアラブル端末２の数量の情報と、を比較する。
【００４６】
両者が同一である場合には、換気制御部１４は、換気制御部１４において判定された、居室において換気通信部１２との無線通信が接続されているウェアラブル端末２の数量を、居室に在室している従業員の人数と判定する。両者が異なる場合には、換気制御部１４は、他の通信機器から受信したカウントダウンしたウェアラブル端末２の数量の情報に示される数量を、居室に在室している従業員の人数と判定する。
【００４７】
これにより、換気制御部１４は、居室内にいる従業員と、居室のドアの直ぐ外にいる従業員とを判別することができ、居室に在室している従業員の人数を正確に判定することができる。
【００４８】
図５は、本発明の実施の形態１にかかる他の換気システム１００ａの全体構成を示す図である。他の換気システム１００ａは、換気システム１００の変形例であり、換気システム１００に空気調和機３と、集中管理用コントローラ６と、が追加されている。換気装置１と空気調和機３と集中管理用コントローラ６とは、通信線７により接続されており、互いに通信可能である。
【００４９】
一般的に室内の空気調和を行うためには、換気装置以外に空気調和機が用いられる。熱交換型の換気装置を換気装置１に用いる場合には、熱交換型ではない換気装置を換気装置１に用いる場合に比べて、空気調和機３の負荷の低減にどのくらい寄与しているかの情報を換気制御部１４によって演算できるように構成することも可能である。
【００５０】
例えば、常に第２換気風量で換気運転を行っている場合には、上記のように第１換気風量と第２換気風量とに換気風量が自動で切り替えられる場合に比べて、空気調和機３によって空気調和された調和空気が換気により排気される量が多くなる。調和空気が換気により排気される量が多い場合には、換気によって居室に給気される外気の量も多くなる。このため、居室の室内空気の温度を空気調和機３に設定された温度に維持するための空気調和機３の負荷が大きくなり、空気調和機３に使用されるエネルギーが多くなる。
【００５１】
一方、換気システム１００ａでは、在室人数に対して適切な換気風量で居室の換気を自動で行い、過度の換気風量での換気および不要な換気を行わない。これにより、居室の室内空気の温度を空気調和機３に設定された温度に維持するための空気調和機３の負荷が小さくなり、空気調和機３の省エネルギーを実現することができる。
【００５２】
そこで、換気システム１００ａが空気調和機３の省エネルギーに寄与する省エネルギー量を居室の室内温度ごとに演算する機能を換気制御部１４に持たせる。換気制御部１４は、居室の室内温度または空気調和機３に設定された温度を、通信線７を介して空気調和機３から取得する。そして、換気制御部１４において演算された省エネルギー量の情報は、ウェアラブル端末２へ送信され、端末表示部２１に表示される。これにより、ウェアラブル端末２を装着している従業員が環境へ貢献していることを意識することが可能になり、省エネルギーに対する意識の向上を図ることができる。
【００５３】
また、常に第２換気風量で換気運転を行っている場合には、上記のように第１換気風量と第２換気風量とに換気風量が自動で切り替えられる場合に比べて、換気装置１における換気を行うためのモータの消費電力が多くなる。そこで、第１換気風量と第２換気風量とに換気風量が自動で切り替えられる場合のモータの消費電力の低減量を省エネルギー量の情報として演算する機能を換気制御部１４に持たせる。そして、換気制御部１４において演算された省エネルギー量の情報は、ウェアラブル端末２へ送信され、端末表示部２１に表示される。
【００５４】
また、換気システム１００ａでは、換気装置１を、ＢＥＭＳ（Ｂｕｉｌｄｉｎｇ  Ｅｎｅｒｇｙ  Ｍａｎａｇｅｍｅｎｔ  Ｓｙｓｔｅｍ）に接続し、換気制御部１４における換気運転の制御に関する機能を、ＢＥＭＳにおいて建物内の複数の宅内設備機器の運転、停止または風量の調整などの動作を遠隔管理により制御する集中管理用コントローラ６が兼ねてもよい。
【００５５】
上述したように、本実施の形態１にかかる換気システム１００は、居室において換気通信部１２との無線通信が接続されているウェアラブル端末２の数量を判定することにより、居室の在室人数を判定し、在室人数に基づいて換気運転を開始および停止し、また換気風量を変更することができる。これにより、換気システム１００は、居室の在室人数に対して適切な換気風量で居室の換気を自動で行って、居住者に対してより快適な環境になるように室内の在室状況に対応した換気運転を自動で行うことができる、という効果を奏する。
【００５６】
実施の形態２．
図６は、本発明の実施の形態２にかかる換気システム２００の全体構成を示す図である。図７は、図６に示す換気システム２００の機能構成を示す図である。換気システム２００は、空気調和機３と、加湿器４と、除湿器５とを備えることが、上述した実施の形態１にかかる換気システム１００と異なる。すなわち、換気システム２００は、換気装置１と、ウェアラブル端末２と、空気調和機３と、加湿器４と、除湿器５と、を備えて構成されている。換気システム２００は、実施の形態１にかかる換気システム１００の有する機能の他に、空気調和機３と加湿器４と除湿器５と換気装置１とを連携させて、室内の在室状況に対応して空気調和機３と加湿器４と除湿器５との動作を制御することが可能である。
【００５７】
空気調和機３は、室内の空気調和を行う空気調和設備であり、空気調和部３１と、空気調和通信部３２と、空気調和記憶部３３と、空気調和制御部３４と、を備える。空気調和部３１は、室内の空気調和を行う。空気調和通信部３２は、換気装置１と通信を行う。空気調和通信部３２と換気装置１との通信は、無線通信であってもよく、また有線通信であってもよい。本実施の形態２においては、空気調和通信部３２と換気装置１との通信は無線通信であるものとする。空気調和記憶部３３は、空気調和機３の運転に用いられる各種の情報を記憶する。空気調和制御部３４は、空気調和機３の運転を制御する。空気調和部３１と空気調和通信部３２と空気調和記憶部３３と空気調和制御部３４とは、互いに情報の送受信が可能である。
【００５８】
加湿器４は、室内の加湿を行う加湿設備であり、加湿部４１と、加湿通信部４２と、加湿記憶部４３と、加湿制御部４４とを備える。加湿部４１は、室内の加湿を行う。加湿通信部４２は、換気装置１と無線通信を行う。加湿記憶部４３は、加湿器４の運転に用いられる各種の情報を記憶する。加湿制御部４４は、加湿器４の運転を制御する。加湿部４１と加湿通信部４２と加湿記憶部４３と加湿制御部４４とは、互いに情報の送受信が可能である。
【００５９】
除湿器５は、室内の除湿を行う除湿設備であり、除湿部５１と、除湿通信部５２と、除湿記憶部５３と、除湿制御部５４と、を備える。除湿部５１は、室内の除湿を行う。除湿通信部５２は、換気装置１と無線通信を行う。除湿記憶部５３は、除湿器５の運転に用いられる各種の情報を記憶する。除湿制御部５４は、除湿器５の運転を制御する。除湿部５１と除湿通信部５２と除湿記憶部５３と除湿制御部５４とは、互いに情報の送受信が可能である。
【００６０】
図８は、図６に示す換気システム２００のウェアラブル端末２の端末記憶部２３に記憶される、好み温度データ２３１と、好み湿度データ２３２とを示す図である。換気システム２００では、従業員の好みの室内温度のデータである好み温度データ２３１と、従業員の好みの室内湿度のデータである好み湿度データ２３２とが、あらかじめ各自のウェアラブル端末２の端末記憶部２３に記憶されている。
【００６１】
ウェアラブル端末２は、換気装置１の換気通信部１２との無線通信が確立された際に、ウェアラブル端末２の端末記憶部２３に記憶されている好み温度データ２３１と好み湿度データ２３２とを、端末通信部２２を介して換気装置１の換気制御部１４に送信する。そして、換気制御部１４は、ウェアラブル端末２から受信した好み温度データ２３１に基づいて、好み温度データ２３１の平均値の情報を、空気調和機３に設定温度の指示情報として送信する。また、換気制御部１４は、ウェアラブル端末２から受信した好み湿度データ２３２に基づいて、好み湿度データ２３２の平均値の情報を、加湿器４と除湿器５とに設定湿度の指示情報として送信する。図９は、図６に示す換気システム２００における換気装置１の動作の手順を示すフローチャートである。
【００６２】
ステップＳ１１０において、換気装置１の換気制御部１４は、換気通信部１２との無線通信が確立された複数のウェアラブル端末２から送信された好み温度データ２３１と好み湿度データ２３２とを取得して記憶する。
【００６３】
つぎに、ステップＳ１２０において、換気制御部１４は、取得した複数の好み温度データ２３１の平均値を、予め決められた周期で算出する。
【００６４】
つぎに、ステップＳ１３０において、換気制御部１４は、取得した複数の好み湿度データ２３２の平均値を、予め決められた周期で算出する。
【００６５】
つぎに、ステップＳ１４０において、換気制御部１４は、算出した好み温度データ２３１の平均値の情報を、空気調和機３の空気調和制御部３４に設定温度の指示情報として送信する。
【００６６】
つぎに、ステップＳ１５０において、換気制御部１４は、算出した好み湿度データ２３２の平均値の情報を、加湿器４の加湿制御部４４と除湿器５の除湿制御部５４とに設定湿度の指示情報として送信する。
【００６７】
そして、好み温度データ２３１の平均値の情報を受信した空気調和制御部３４は、好み温度データ２３１の平均値を設定温度として空気調和運転の制御を行う。換気制御部１４は、換気通信部１２との無線通信が切断されたウェアラブル端末２から送信された好み温度データ２３１と好み湿度データ２３２とは消去する。したがって、換気制御部１４は、現在、換気通信部１２との無線通信が確立されているウェアラブル端末２から送信された好み温度データ２３１と好み湿度データ２３２とのみを記憶して、平均値を算出する。
【００６８】
このため、空気調和機３の設定温度が、居室に居る従業員の室内温度の好みの平均値に自動的に変わる。そして、居室への人の出入りがあると、空気調和機３の設定温度が自動で変化する。これにより、空気調和機３の設定温度が、現在、居室に在室している多くの従業員にとって快適な温度に自動で変化するため、室内温度が多くの従業員にとって快適な温度になり、多くの従業員にとって快適な空気調和が可能となる。
【００６９】
空気調和機３の設定温度を従業員が調整可能である場合には、暑がりの人が設定温度を設定するか、寒がりの人が設定温度を設定するかによって、空気調和機３の設定温度が居室に居る人の好みの平均とは違ったものとなることが多い。換気システム２００では、居室に在室している従業員の好み温度データ２３１の平均値が空気調和機３の設定温度となるため、居室の室内温度が多くの従業員にとって快適な温度になる。
【００７０】
また、換気制御部１４から送信された好み湿度データ２３２の平均値の情報を受信した加湿器４の加湿制御部４４は、好み湿度データ２３２の平均値を設定湿度として加湿運転の制御を行う。また、換気制御部１４から送信された好み湿度データ２３２の平均値の情報を受信した除湿器５の除湿制御部５４は、好み湿度データ２３２の平均値を設定湿度として除湿運転の制御を行う。
【００７１】
このため、加湿器４および除湿器５の設定湿度が、居室に居る従業員の室内湿度の好みの平均値に自動的に変わる。そして、居室への人の出入りがあると、加湿器４および除湿器５の設定湿度が自動で変化する。これにより、加湿器４および除湿器５の設定湿度が、現在、居室に在室している多くの従業員にとって快適な湿度に自動で変化するため、室内湿度が多くの従業員にとって快適な湿度になり、多くの従業員にとって快適な空気調和が可能となる。
【００７２】
好み温度データ２３１の平均化の方法および好み湿度データ２３２の平均化の方法は、単純な算術平均でもよいが、人によって好み温度データ２３１の平均化の方法および好み湿度データ２３２の重要度を変える加重平均でもよい。例えば、上司の好みの温度および湿度の優先度を上げたり、女性の好みの温度および湿度の優先度を上げたりすることで、より円滑な職場環境を作ることができるようになる。
【００７３】
換気システム２００は、上述した換気システム１００と同様の効果を有する。また、換気システム２００は、居室に在室している従業員の好み温度データ２３１の平均値が空気調和機３の設定温度となり、居室に在室している従業員の好み湿度データ２３２の平均値が加湿器４および除湿器５の設定湿度となるため、居室に在室している多くの従業員にとって快適な空気調和が可能となる。
【００７４】
実施の形態３．
本実施の形態３では、夏季などの冷房期間に好適な換気システム２００の夏季モードの動作について説明する。図１０は、本発明の実施の形態３における換気システム２００の換気装置１の動作の手順を示すフローチャートである。
【００７５】
ステップＳ２１０において、換気装置１の換気制御部１４は、換気通信部１２との無線通信が確立された複数のウェアラブル端末２から送信された好み温度データ２３１と好み湿度データ２３２とを取得して記憶する。
【００７６】
つぎに、ステップＳ２２０において、換気制御部１４は、取得した複数の好み温度データ２３１から、好み温度データ２３１の最小値を、予め決められた周期で抽出する。
【００７７】
つぎに、ステップＳ２３０において、換気制御部１４は、取得した複数の好み湿度データ２３２から、好み湿度データ２３２の最小値を、予め決められた周期で抽出する。
【００７８】
つぎに、ステップＳ２４０において、換気制御部１４は、抽出した好み温度データ２３１の最小値の情報を、空気調和機３の空気調和制御部３４に設定温度の指示情報として送信する。
【００７９】
つぎに、ステップＳ２５０において、換気制御部１４は、抽出した好み湿度データ２３２の最小値の情報を、加湿器４の加湿制御部４４と除湿器５の除湿制御部５４とに設定湿度の指示情報として送信する。
【００８０】
そして、好み温度データ２３１の最小値の情報を受信した空気調和制御部３４は、好み温度データ２３１の最小値を設定温度として空気調和運転の制御を行う。換気制御部１４は、換気通信部１２との無線通信が切断されたウェアラブル端末２から送信された好み温度データ２３１と好み湿度データ２３２とは消去する。したがって、換気制御部１４は、現在、換気通信部１２との無線通信が確立されているウェアラブル端末２から送信された好み温度データ２３１と好み湿度データ２３２とのみを記憶する。このため、空気調和機３の設定温度が、居室に居る従業員の室内温度の好みの最小値に自動的に変わる。そして、居室への人の出入りがあると、空気調和機３の設定温度が自動で変化する。
【００８１】
たとえば夏季であれば、空気調和機３が停止している夜間に居室内の建材およびデスク等の什器に蓄熱することが考えられる。居室内の建材および什器の温度が空気調和機３の設定温度に達していない状態の始業時に居室に在室している従業員は、居室内の建材および什器からの熱輻射および熱伝導により、居室の実際の室内温度よりも暑く感じる可能性がある。このため、空気調和機３の設定温度を換気制御部１４が取得した複数の好み温度データ２３１のうち最も低い温度である好み温度データ２３１の最小値に設定して空気調和機３による空気調和を行うことにより、居室内の快適性が増す。
【００８２】
また、加湿器４および除湿器５の設定湿度を、換気制御部１４が取得した複数の好み湿度データ２３２のうち最も低い湿度である好み湿度データ２３２の最小値に設定することで、人間の露出した肌部からの水分の蒸発をより促すことができる。これにより、居室内に在室している従業員が冷涼感を得やすくなる。
【００８３】
また、換気装置１の換気風量の設定が複数ある場合には、夏季においては換気装置１の設定風量を必要換気量よりも多く設定し、給気空気により居室内の空間により多くの気流を生み出すことも、冷涼感を増す効果がある。このように、夏季における換気装置１の設定風量を大きくすることで居室内の快適性を向上させることができる。
【００８４】
上述した温度設定、湿度設定および風量設定を制御する場合には、換気装置１に設置された温湿度計によって外気の温度をモニターすることが好ましい。換気制御部１４は、モニターした外気温度と、夏季を判定するために予め決められた温度閾値とを比較することにより、現在の季節が夏季であるか否かを判定できる。そして、換気制御部１４は、判定結果を、換気制御部１４が上述した温度設定、湿度設定および換気風量設定を制御するか否かを判定する指標とすることができる。すなわち、換気制御部１４は、短期間の外気温度のデータ収集により、上述した温度設定、湿度設定および換気風量設定を制御する夏季モードでの制御を実施するか否かの判定を容易に且つ迅速に行うことができる。これにより、換気システム２００は、居室内の快適性の向上と省エネルギーとの効果を有する夏季モードでの運転に短時間で移行することができる。
【００８５】
上述したように、実施の形態３によれば、特に夏季において居室内の快適性をより向上させることができる。
【００８６】
実施の形態４．
本実施の形態４では、冬季などの暖房期間に好適な換気システム２００の冬季モードの動作について説明する。図１１は、本発明の実施の形態４における換気システム２００の換気装置１の動作の手順を示すフローチャートである。
【００８７】
ステップＳ３１０において、換気装置１の換気制御部１４は、換気通信部１２との無線通信が確立された複数のウェアラブル端末２から送信された好み温度データ２３１と好み湿度データ２３２とを取得して記憶する。
【００８８】
つぎに、ステップＳ３２０において、換気制御部１４は、取得した複数の好み温度データ２３１から、好み温度データ２３１の最大値を、予め決められた周期で抽出する。
【００８９】
つぎに、ステップＳ３３０において、換気制御部１４は、取得した複数の好み湿度データ２３２から、好み湿度データ２３２の最大値を、予め決められた周期で抽出する。
【００９０】
つぎに、ステップＳ３４０において、換気制御部１４は、抽出した好み温度データ２３１の最大値の情報を、空気調和機３の空気調和制御部３４に設定温度の指示情報として送信する。
【００９１】
つぎに、ステップＳ３５０において、換気制御部１４は、抽出した好み湿度データ２３２の最大値の情報を、加湿器４の加湿制御部４４と除湿器５の除湿制御部５４とに設定湿度の指示情報として送信する。
【００９２】
そして、好み温度データ２３１の最大値の情報を受信した空気調和制御部３４は、好み温度データ２３１の最大値を設定温度として空気調和運転の制御を行う。換気制御部１４は、換気通信部１２との無線通信が切断されたウェアラブル端末２から送信された好み温度データ２３１と好み湿度データ２３２とは消去する。したがって、換気制御部１４は、現在、換気通信部１２との無線通信が確立されているウェアラブル端末２から送信された好み温度データ２３１と好み湿度データ２３２とのみを記憶する。このため、空気調和機３の設定温度が、居室に居る従業員の室内温度の好みの最大値に自動的に変わる。そして、居室への人の出入りがあると、空気調和機３の設定温度が自動で変化する。
【００９３】
冬季は、夏季とは逆に、居室内の建材およびデスク等の什器が冷やされている影響で、居室内の建材および什器の温度が空気調和機３の設定温度に達していない状態の始業時に居室に在室している従業員は、室内温度よりも寒く感じる可能性がある。このため、空気調和機３の設定温度を換気制御部１４が取得した複数の好み温度データ２３１のうち最も高い温度である好み温度データ２３１の最大値に設定して空気調和機３による空気調和を行うことにより、居室内の快適性が増す。
【００９４】
また、加湿器４および除湿器５の設定湿度を、換気制御部１４が取得した複数の好み湿度データ２３２のうち最も高い湿度である好み湿度データ２３２の最大値に設定することで、人間の露出した肌部からの蒸発潜熱が奪われることを防ぐことができ、冬季の居室内における余計な冷感を避けることができる。
【００９５】
また、換気装置１の換気風量の設定が複数ある場合には、冬季においては換気装置１の設定風量を必要換気量よりも少なく設定することで冷風感を低減することが可能となる。ただし、換気装置１の換気風量を少なくしすぎることで居室内の空気質の悪化を招く可能性があるので、換気風量を少なくしすぎないように注意することが必要である。
【００９６】
換気装置１の換気風量を適切に設定するために、例えば個人の血圧、脈拍、心拍数および血中酸素濃度をモニターする機能をウェアラブル端末２に持たせることが好ましい。ウェアラブル端末２により、個人の血圧、脈拍、心拍数および血中酸素濃度を合わせてモニターすることで、居室内に在室している従業員に悪い影響を与えない必要換気量を確保しつつ、冷風感が極力小さい換気風量で換気を行い、冬季の居室内においてもより快適な換気を行うことができる。この場合、換気制御部１４は、実施の形態３の場合と同様にモニターした外気温度と予め決められた温度閾値とを比較することにより、現在の季節が冬季であるか否かを容易に且つ迅速に判定して冬季モードの制御に移行できる。これにより、換気システム２００は、居室内の快適性の向上と省エネルギーとの効果を有する冬季モードでの運転に短時間で移行することが可能となる。
【００９７】
また、上述した実施の形態３，４において説明した季節の判定については、ウェアラブル端末２にカレンダー機能を持たせて、ウェアラブル端末２から現在の日時情報を換気装置１の換気制御部１４に送信するように構成してもよい。この場合、換気制御部１４は、ウェアラブル端末２から取得した現在の日時情報と、各季節に対応する日時が規定されて換気制御部１４に記憶された季節日時情報とに基づいて季節を判定する。季節日時情報の日時情報を任意に変更することで、中間期に近い時期においてもいち早く夏季モードまたは冬季モードでの制御が可能となり、快適な空間を実現することが可能となる。
【００９８】
図１２は、本発明の実施の形態４にかかる他の換気システム２００ａの全体構成を示す図である。他の換気システム２００ａは、換気システム２００の変形例であり、換気システム２００に集中管理用コントローラ６が追加されている。換気装置１と空気調和機３と集中管理用コントローラ６とは、通信線７により接続されており、互いに通信可能である。
【００９９】
換気システム２００ａでは、換気装置１を、ＢＥＭＳに接続し、換気制御部１４における換気運転の制御に関する機能を、ＢＥＭＳにおいて建物内の複数の宅内設備機器の運転、停止または風量の調整などの動作を遠隔管理により制御する集中管理用コントローラ６が兼ねてもよい。
【０１００】
上述したように、実施の形態４によれば、特に冬季において居室内の快適性をより向上させることができる。
【０１０１】
実施の形態５．
ウェアラブル端末２では、装着している個人の血圧、脈拍、心拍数、血中酸素濃度、集中度といった生体データを測定することができるタイプのものがある。図１３は、本発明の実施の形態５にかかるウェアラブル端末２ａの機能構成を示す図である。ウェアラブル端末２ａは、ウェアラブル端末２ａを装着している従業員の生体データを予め決められた周期で取得する生体データ取得部２５を備えること以外は、ウェアラブル端末２と同じ構成および機能を有する。ウェアラブル端末２ａは、生体データ取得部２５で取得した生体データを換気装置１の換気制御部１４に送信する。
【０１０２】
換気装置１による室内の換気量が不足している場合には、これらの生体データが変化することが一般的に知られている。そこで、これらの生体データは、換気装置１による居室の換気量が不足しているか否かを判定するための指標として使用可能である。
【０１０３】
換気装置１の換気制御部１４は、居室内の各ウェアラブル端末２ａから各生体データを取得して、各生体データの変化を監視する。そして、換気制御部１４は、生体データの変化に基づいて、居室の換気量が適切な換気量に足りているか否かを判定し、換気量が不足している場合には換気部１１の換気風量を増やす運転に切り替えることが可能である。換気制御部１４は、生体データごとに、居室の換気量が適切な換気量に足りているか否かを判定するための閾値範囲を記憶しており、各ウェアラブル端末２ａから取得した生体データが閾値範囲外になった場合に、換気部１１の換気風量を増やす運転に切り替える。これにより、換気制御部１４は、ウェアラブル端末２ａから取得した従業員の生体データを用いて換気部１１の換気風量が不足しているか否かを判定した結果に基づいて、換気部１１の換気風量を制御することが可能である。
【０１０４】
ウェアラブル端末２ａは、上述した実施の形態１から実施の形態４において採用することができる。また、換気装置１の換気制御部１４は、実施の形態１から実施の形態４において示した機能の他に、換気装置１においてセンシングした居室のＣＯ２濃度に対応して換気風量を自動で切り替える機能を有していてもよい。
【０１０５】
上述したように、実施の形態５によれば、ウェアラブル端末２ａにより測定される従業員の個人の生体データに基づいて、居室の換気量を適切な換気量に制御することが可能である。
【０１０６】
以上の実施の形態に示した構成は、本発明の内容の一例を示すものであり、実施の形態の技術同士を組み合わせることも可能であるし、別の公知の技術と組み合わせることも可能であるし、本発明の要旨を逸脱しない範囲で、構成の一部を省略、変更することも可能である。
【符号の説明】
【０１０７】
１  換気装置、２，２ａ  ウェアラブル端末、３  空気調和機、４  加湿器、５  除湿器、６  集中管理用コントローラ、７  通信線、１１  換気部、１２  換気通信部、１３  換気記憶部、１４  換気制御部、２１  端末表示部、２２  端末通信部、２３  端末記憶部、２４  端末制御部、２５  生体データ取得部、３１  空気調和部、３２  空気調和通信部、３３  空気調和記憶部、３４  空気調和制御部、４１  加湿部、４２  加湿通信部、４３  加湿記憶部、４４  加湿制御部、５１  除湿部、５２  除湿通信部、５３  除湿記憶部、５４  除湿制御部、１００，１００ａ，２００，２００ａ  換気システム、１０１  プロセッサ、１０２  メモリ、２３１  好み温度データ、２３２  好み湿度データ。
【図１】
2020200998.tif 000003
【図２】
2020200998.tif 000004
【図３】
2020200998.tif 000005
【図４】
2020200998.tif 000006
【図５】
2020200998.tif 000007
【図６】
2020200998.tif 000008
【図７】
2020200998.tif 000009
【図８】
2020200998.tif 000010
【図９】
2020200998.tif 000011
【図１０】
2020200998.tif 000012
【図１１】
2020200998.tif 000013
【図１２】
2020200998.tif 000014
【図１３】
2020200998.tif 000015